(57)【要約】      （修正有）【課題】着脱が容易に行え、かつ耐久性に優れたつなぎ服を提供する。【解決手段】上着とズボンを繋いだ前開きのつなぎ服において、少なくとも左右いずれか片側の肩部が開放される前身頃４ａ，４ｂと、この前身頃と接合される後身頃と、前記前身頃に連続して分割される襟７と、左右一対の袖８ａ，８ｂとを備える。又、襟の分割された一対の端縁部とこれに連続する前身頃と後身頃との間に、前身頃と後身頃の各開放端縁部を突き合わせた状態で線ファスナー５，９を取り付け、この線ファスナーに沿ってステッチ１０を施した構成とする。【選択図】図１
0003165666.tif 000002
【実用新案登録請求の範囲】
【請求項１】
上着とズボンを繋いだ前開きのつなぎ服であって、
少なくとも左右いずれか片側の肩部が開放される前身頃と、
前記前身頃と接合される後身頃と、
前記前身頃に連続して分割される襟と、
左右一対の袖と、
前記襟の分割された一対の端縁部とこれに連続する前記前身頃と前記後身頃の開放される各端縁部との間に、対向する各端縁部を突き合わせた状態で各端縁部よりも内側に両辺が取り付けられた線ファスナーと、
前記線ファスナーに沿って施されたステッチとを備えたことを特徴とするつなぎ服。
【請求項２】
上着とズボンを繋いだ前開きのつなぎ服であって、
少なくとも左右いずれか片側の肩部が開放される前身頃と、
前記前身頃と接合される後身頃と、
前記前身頃に連続して分割される襟と、
左右一対の袖と、
前記襟の分割された一対の端縁部とこれに連続する前記前身頃と前記後身頃の開放される各端縁部との間に、対向する各端縁部を突き合わせた状態で各端縁部よりも内側に両辺が取り付けられた線ファスナーと、
前記前身頃と前記後身頃の各肩部で襟ぐりから袖ぐりまでを被覆し、前記線ファスナーで開閉可能にされる肩当て部と、
前記線ファスナーに沿って施されたステッチとを備えたことを特徴とするつなぎ服。
【考案の詳細な説明】
【技術分野】
【０００１】
本考案はつなぎ服、詳しくは作業時に着用する着脱が比較的容易に行える前開きのつなぎ服に関する。
【背景技術】
【０００２】
つなぎ服は、上着とズボンが完全に繋がった形状の衣服である。一般的には、首元から股までの前立て部分に線ファスナーが縫い付けられ、この線ファスナーを開閉させる前開きのものが広く普及している。このようなつなぎ服は、安全性の観点から、ウエスト部分の布には余裕がない。そのため、着用者は、脱ぎ着に手間取り、また窮屈さを感じざるを得なかった。これを解消する目的で、本出願人は、先に、上着の襟先付け根箇所から袖付け位置までの胸元に横一線の切り込みを設け、該箇所にスライドファスナーを取り付けたものを提案している（特許文献１）。また、脱ぎ易く、一種の模様や飾りとしてのファッション性向上を目的に、つなぎ服の左右肩部分に、開閉自在のスリット部を設けて、外部から視認できるようにファスナーを取り付けたものも提案されている（特許文献２）。
しかし、これらに於いては、ファスナーの開閉動作や洗濯により、ファスナーの取付箇所が疲労し、つなぎ服全体としての耐久性を低下させることもあった。また、後者に於いては、肩に重量物を担ぐ際に、露出したファスナーの務歯が引っかかって破損することもある。
【先行技術文献】
【特許文献】
【０００３】
【特許文献１】実用新案登録第３０６７５６６号公報
【特許文献２】特開２００６−２６５７９０号公報
【考案の概要】
【考案が解決しようとする課題】
【０００４】
本考案は、上記に於ける問題点を改善するために考案されたものであり、即ち、脱ぎ着がし易く、且つ、耐久性に優れたつなぎ服を提供することを目的とする。  
【課題を解決するための手段】
【０００５】
本考案のつなぎ服は、上着とズボンを繋いだ前開きのつなぎ服であって、少なくとも左右いずれか片側の肩部が開放される前身頃と、この前身頃と接合される後身頃と、前記前身頃に連続して分割される襟と、左右一対の袖とを備える。そして、襟の分割された一対の端縁部とこれに連続する前身頃と後身頃の開放される各端縁部との間には、対向する各端縁部を突き合わせた状態で取り付けられた線ファスナーを備え、この線ファスナーに沿ってステッチを施した構成とする。
【０００６】
また、本考案は、上記構成に、前身頃と後身頃の肩部に取り付けられる肩当て部を備えた構成とする。
【考案の効果】
【０００７】
本考案品は以上の通り構成するものであって、線ファスナーが襟から袖まで肩部分にその務歯を露出させない状態で取り付けられ、且つ、各パーツにしっかりと止着されるので、脱ぎ着がし易く、破損し難いものとなっている。
【図面の簡単な説明】
【０００８】
【図１】本考案の第１実施例に係るつなぎ服の正面図である。
【図２】図１の左肩部の詳細説明図である。
【図３】本考案の第２実施例に係るつなぎ服の正面図である。
【図４】図３の左肩部の詳細説明図である。
【考案を実施するための形態】
【０００９】
本考案に係るつなぎ服を図面に基づき説明する。
図１は、本考案に係る第１の実施例を示すものである。つなぎ服１は、上下一体に繋げられる上着２とズボン３とからなり、左右の前身頃４ａ，４ｂにおける首元から股の前立て部に線ファスナー５が縫着された前開き仕様である。
【００１０】
上着２は、左右の前身頃４ａ，４ｂと後身頃６と襟７と左右一対の袖８ａ，８ｂとからなり、左肩部に線ファスナー９を備えている。この左肩部では、図２に示すように、左前身頃４ａと後身頃６とを接合する肩線からそれに連続する襟７が分割され、大きく開放されるようになっている。
【００１１】
上記線ファスナー９は、分割された襟７の一対の端縁部７ａ，７ｂとこれらに連続する左前身頃４ａの開放端縁部４ａ１と後身頃６の開放端縁部６ａとの間に、各端縁部の布を縁返しし、この縁返しされた布の表面に当該線ファスナーテープの表面を重ね合わせ、該ファスナーテープの両辺が開放端縁部４ａ１および開放端縁部６ａより内側に入ったところで縫合される。内側に入ったところで縫合された結果、線ファスナー９は、襟から肩にかけて分割された開放端縁部が、線ファスナー９を閉じたときに、一方の開放端縁部７ａ，４ａ１と他方の開放端縁部７ｂ，６ａが突き合わされた状態となり、該線ファスナー９の務歯９ａを覆い隠すようになる。これにより、つなぎ服の着用中に、線ファスナー９が前身頃４ａと後身頃６とで完全に被覆されるので、つなぎ服１は、通常のつなぎ服と同様に前身頃４ａと後身頃６が縫い合わされているように見え、肩線まわりがスッキリしたものとなる。また、肩に荷物を担ぐ場合にも、線ファスナー９の務歯９ａが露出されていないので、荷物が引っかかることもなく破損し難いものとなっている。
【００１２】
線ファスナー９を取り付けた前身頃４ａ及び後身頃６には、その接合される肩線に沿ってステッチ１０が施されている。このステッチ１０は、襟７から袖８ａの取り付け位置（袖山）にかけて、少なくとも線ファスナー９の全長を含む範囲に対して、突き合わされた開放端縁部７ａ，４ａ１，７ｂ，６ａからそれぞれ凡そ６ｍｍの位置につけられる。ステッチ１０は、所謂、飾りミシンで、補強と装飾を兼ねるものである。而して、ステッチは、線ファスナー９の取り付け箇所だけではなく、他の各パーツの縫合箇所にも施すこともできる。このステッチ１０を利用して、線ファスナー９を前記開放端縁部に取り付けるようにしたものは、縫着手順が簡略されて生産性を向上させることもできる。このステッチ１０としては、特に制限されるものではなく、ミシン縫いによる飾りミシンのほかに、アウトラインステッチ、チェーンステッチ、ランニングステッチ、クロスステッチなどを用いて装飾するようにしてもよい。
【００１３】
図３、図４は、本考案に係る第２の実施例を示し、つなぎ服１０１は、肩部に肩当て部１１を取り付けている。肩当て部１１は、前身頃１０４と後身頃１０６の肩部で襟ぐり１０７ａから袖ぐり１０８ａまでを被覆し、肩部分を補強したり、そのクッション作用により着用者の肩を保護したりするものである。この肩当て部１１としては、つなぎ服本体と同じ素材からなる布地を用いたり、肉厚のキルティング地を用いたりする。また、表面に樹脂が貼着された樹脂製のものを用いてもよい。
【００１４】
上記実施例と同様に、左肩部には線ファスナー１０９が取り付けられる。而して、上記肩当て部１１は、前身頃１０４と後身頃１０６の接合箇所で分割され、分割された部材がそれぞれ前身頃１０４と後身頃１０６に重ねられ、その間に線ファスナー１０９が取り付けられるものとなる。この線ファスナー１０９は、上記実施例と同様にして取り付けられる。
【００１５】
さらに、線ファスナー１０９に沿ってステッチ１１０が施される。この際、肩当て部１１は、その周囲を同様のステッチ１１１で前身頃と後身頃に縫着される。この場合、肩部分に優れた補強効果が得られるものとなる。しかも線ファスナー１０９の務歯１０９ａは、前身頃、後身頃及び肩当て部１１でしっかりと被覆されるので、重量物を担いだ場合でも、破損し難く、つなぎ服自身の耐久性を向上させることができる。
【００１６】
上記実施例に於いては、片側の左肩に線ファスナーを設けたものについて説明したが、これらに限定されず、他側の右肩に設けても良く、また両肩に設けることもできる（図示せず）。
【符号の説明】
【００１７】
１，１０１                 つなぎ服
４ａ，４ｂ，１０４        前身頃
５，９，１０９            線ファスナー
６，１０６                 後身頃
７                          襟
８ａ，８ｂ                 袖
９ａ，１０９ａ             務歯
１０，１１０，１１１     ステッチ
１１                        肩当て部                
【図１】
0003165666.tif 000003
【図２】
0003165666.tif 000004
【図３】
0003165666.tif 000005
【図４】
0003165666.tif 000006